(57)【特許請求の範囲】
【請求項１】
門扉本体と、前後のキャスターを備え、少なくとも前後いずれかのキャスターはキャスター台座を有し、キャスター台座は、門扉本体に設けたキャスター取付部に前後反転して取付け・取外し自在であるとともに、前後反転することでキャスターを前後方向の一方側に偏った位置と前後方向の他方側に偏った位置とに取付け・取外し自在なものであり、キャスターは、キャスター台座の前後方向の一方側に偏った位置に取付けた状態と、反転したキャスター台座の前後方向の他方側に偏った位置に取付けた状態とで、位置が前後方向に異なることを特徴とする門扉。
【請求項２】
門扉本体と、前後のキャスターを備え、少なくとも前後いずれかのキャスターはキャスター台座を有し、キャスター台座は、門扉本体に設けたキャスター取付部に前後反転して取付け・取外し自在であるとともに、前後反転することでキャスターを前後方向の一方側に偏った位置と前後方向の他方側に偏った位置とに取付け・取外し自在なものであり、キャスター台座をキャスター取付部から取外す工程とキャスターをキャスター台座から取外す工程の後に、キャスター台座を前後反転させる工程とキャスターの門扉本体に対する向きがキャスター台座から取外す前と同じ向きになるようにキャスターをキャスター台座に取付ける工程とキャスター台座をキャスター取付部に取付ける工程とを有することを特徴とする門扉の製造方法。
【発明の詳細な説明】
【技術分野】
【０００１】
本発明は、キャスターの間隔を調整できる門扉及び門扉の製造方法に関する。
【背景技術】
【０００２】
従来、レールを走行する門扉のキャスターは、特許文献１に示されているように、門扉本体を構成する前桟と後桟の下部に台座を設け、台座間に一本の車軸を支持し、車軸の両端部に車輪を枢着した構成となっており、前後の車輪及びレールの間隔は門扉本体の前後方向寸法に応じて決まってくるので、その寸法は門扉本体の種類によってまちまちであった。そのため、古くなった門扉を新しいものに交換しようとすれば、新しいものの車輪の間隔は異なっている場合が多く、レールを新たに設置しなおさなければならず、元のレールをそのまま利用しようとすれば、新しい門扉の選択の幅が大きく狭められる。
【先行技術文献】
【特許文献】
【０００３】
【特許文献１】実開平５−３８２９５号公報
【発明の概要】
【発明が解決しようとする課題】
【０００４】
本発明は以上に述べた実情に鑑み、前後のキャスターの車輪の間隔を変更できる門扉及び門扉の製造方法の提供を目的とする。
【課題を解決するための手段】
【０００５】
上記の課題を達成するために請求項１記載の発明による門扉は、門扉本体と、前後のキャスターを備え、少なくとも前後いずれかのキャスターはキャスター台座を有し、キャスター台座は、門扉本体に設けたキャスター取付部に前後反転して取付け・取外し自在であるとともに、前後反転することでキャスターを前後方向の一方側に偏った位置と前後方向の他方側に偏った位置とに取付け・取外し自在なものであり、キャスターは、キャスター台座の前後方向の一方側に偏った位置に取付けた状態と、反転したキャスター台座の前後方向の他方側に偏った位置に取付けた状態とで、位置が前後方向に異なることを特徴とする。
【０００６】
キャスター取付部は、キャスター台座をねじ止めするねじの挿通孔が前後方向の長孔になっているものとすることができる。
【０００７】
キャスター取付部は、キャスター台座をねじ止めするねじの挿通孔が前後方向に間隔をおいて複数設けてあってもよい。
【０００８】
請求項２記載の発明による門扉の製造方法は、門扉本体と、前後のキャスターを備え、少なくとも前後いずれかのキャスターはキャスター台座を有し、キャスター台座は、門扉本体に設けたキャスター取付部に前後反転して取付け・取外し自在であるとともに、前後反転することでキャスターを前後方向の一方側に偏った位置と前後方向の他方側に偏った位置とに取付け・取外し自在なものであり、キャスター台座をキャスター取付部から取外す工程とキャスターをキャスター台座から取外す工程の後に、キャスター台座を前後反転させる工程とキャスターの門扉本体に対する向きがキャスター台座から取外す前と同じ向きになるようにキャスターをキャスター台座に取付ける工程とキャスター台座をキャスター取付部に取付ける工程とを有することを特徴とする。
【発明の効果】
【０００９】
請求項１記載の発明による門扉は、少なくとも前後いずれかのキャスターはキャスター台座を有し、キャスター台座は、門扉本体に設けたキャスター取付部に前後反転して取付け・取外し自在であるとともに、前後反転することでキャスターを前後方向の一方側に偏った位置と前後方向の他方側に偏った位置とに取付け・取外し自在なものであり、キャスターは、キャスター台座の前後方向の一方側に偏った位置に取付けた状態と、反転したキャスター台座の前後方向の他方側に偏った位置に取付けた状態とで、位置が前後方向に異なるため、前後のキャスターの車輪の間隔を変更することができる。
【００１０】
キャスター取付部は、キャスター台座をねじ止めするねじの挿通孔が前後方向の長孔になっているものであれば、キャスター台座を前後反転することに加え、キャスター取付部へのキャスター台座の取付位置を前後方向に任意に調整できるため、前後のキャスターの車輪の間隔を調整できる範囲が広くなり、しかも既存のレールの間隔に合わせて車輪の間隔を微調整できる。
【００１１】
キャスター取付部は、キャスター台座をねじ止めするねじの挿通孔が前後方向に間隔をおいて複数設けてあるものであれば、キャスター台座を前後反転することに加え、キャスター取付部の複数のねじの挿通孔を選択的に用いることによってもキャスターの位置が前後方向に移動するため、前後のキャスターの車輪の間隔をより大きく変更することができる。また、反対側のキャスターが長孔で前後方向に位置を任意に調整できる場合に、こちら側のキャスターを基準として反対側のキャスターの位置調整を行うことで、左右方向に複数設けられた前後のキャスターの前後位置を揃えて位置調整するのが容易である。
【００１２】
請求項２記載の発明による門扉の製造方法は、キャスター台座をキャスター取付部から取外す工程とキャスターをキャスター台座から取外す工程の後に、キャスター台座を前後反転させる工程とキャスターの門扉本体に対する向きがキャスター台座から取外す前と同じ向きになるようにキャスターをキャスター台座に取付ける工程とキャスター台座をキャスター取付部に取付ける工程とを有することで、前後のキャスターの車輪の間隔を変更することができる。
【図面の簡単な説明】
【００１３】
【図１】門扉本体の下部を拡大して示す側面図である。
【図２】本発明の門扉の一実施形態を示す正面図である。
【図３】門扉本体の側面図である。
【図４】道路側のキャスター部の分解斜視図であって、（ａ）はキャスターを内側に取付ける場合、（ｂ）はキャスターを外側に取付ける場合を示す。
【図５】敷地側のキャスター部の分解斜視図であって、（ａ）はキャスターを内側に取付ける場合、（ｂ）はキャスターを外側に取付ける場合を示す。
【図６】（ａ）はキャスター台座の側面図、（ｂ）はキャスター台座の底面図、（ｃ）はキャスター台座の正面図、（ｄ）はキャスター台座の前後反転した状態の底面図である。
【図７−１】門扉本体下部の側面図であって、前後のキャスターの間隔を段階的に広げていく様子を示す。
【図７−２】門扉本体下部の側面図であって、前後のキャスターの間隔を段階的に広げていく様子を示す（図７−１の続き）。
【発明を実施するための形態】
【００１４】
以下、本発明の実施の形態を図面に基づいて説明する。図１〜５は、本発明の門扉の一実施形態を示している。本門扉は、道路と敷地の境界に設置される伸縮門扉であり、図２に示すように、左右方向に間隔をおいて地面から立設した吊元支柱９及び戸当り支柱１０と、複数の格子材１１，１１，…をパンタグラフ状のリンク１２で連結し、伸縮自在に構成された門扉本体１を備える。門扉本体１の戸尻側端部の格子材１１ｃは、吊元支柱９に連結してあり、門扉本体１の戸先側端部の格子材１１ａの戸先側には引手格子１３が取付けてあり、引手格子１３には引手１４と錠１５が設けてある。戸先側端部の格子材１１ａの下端部と中間の格子材１１ｂの下端部には、前後一対のキャスター２ａ，２ｂが設けてあり、各キャスター２ａ，２ｂが地面に敷設したレール１６，１６に案内されている。
【００１５】
各格子材１１は、図３に示すように、前後に間隔をおいて配置された２本の縦格子材１７，１７と、両縦格子材１７，１７の上端部と下端部を連結する横格子材１８，１９とで矩形の枠状に形成してあり、前後の縦格子材１７，１７間のスペースにリンク１２を配置してある。
【００１６】
キャスター２ａ，２ｂが取付く格子材１１ａ，１１ｂの下端部には、キャスター２ａ，２ｂの位置を前後方向に調整可能に取付けるためのキャスター取付部４ａ，４ｂが設けてある。道路側のキャスター取付部４ａは、図１，４に示すように、縦格子材１７にネジで固定したベース２０と、ベース２０の左右側面に取付けた側板２１，２１を有し、外側の下部側が開放した形状となっている。なお、本明細書中において「外側」とは、門扉の前後方向のセンターラインＣ（図１参照）から遠ざかる方向を意味し、「内側」とは、同センターラインＣに近づく方向を意味する。各側板２１には後述するキャスター台座３ａを取付けるためのねじ２２ａの挿通孔８ａ，８ｂが、前後方向に間隔をおいて複数設けてある。内側のねじ挿通孔８ａと外側のねじ挿通孔８ｂとの間の距離は、４６．５ｍｍとなっている。ベース２０の下壁には、キャスター２ａの下部を固定するためのねじ２３ａが螺入する雌ねじ孔２４が設けてある。敷地側のキャスター取付部４ｂは、図１，５に示すように、道路側と同様に、縦格子材１７にネジで固定したベース２０と、ベース２０の左右側面に取付けた側板２１，２１を有し、外側の下部側が開放した形状となっている。各側板２１には、キャスター台座３ｂを取付けるためのねじ２２ｂの挿通孔７が前後方向の長孔７に形成してある。長孔７の前後方向長さは、４８ｍｍとなっている。
【００１７】
道路側及び敷地側のキャスター２ａ，２ｂは、図１，４，５に示すように、四角いブロック状のベース部２５と、ベース部２５に固定した軸２６と、軸２６に回転自在に保持した車輪２７と、車輪２７を覆うカバー２８と、ベース部２５の下部に内側に向けて突出して設けた下部固定板２９を有している。下部固定板２９には、前後方向の長孔３０が設けてある。各キャスター２ａ，２ｂは、ベース部２５の上面にキャスター台座３ａ，３ｂを上方からの２本のねじ３１，３１で取付けた上で、キャスター台座３ａ，３ｂをキャスター取付部４ａ，４ｂの側板２１，２１間に差し入れ、左右両側から１本ずつのねじ２２ａ，２２ｂでキャスター台座３ａ，３ｂを各側板２１，２１に固定すると共に、キャスター２ａ，２ｂの下部固定板２９の長孔３０に下方より挿入したねじ２３ａ，２３ｂをキャスター取付部４ａ，４ｂ下面の雌ねじ孔２４に螺入している。こうしてキャスター２ａ，２ｂは、キャスター台座３ａ，３ｂを介してキャスター取付部４ａ，４ｂに取付けている。
先に述べたように、道路側のキャスター取付部４ａは、側板２１にキャスター台座３ａをねじ止めするためのねじの挿通孔８ａ，８ｂが前後方向に間隔をおいて複数設けてあるため、これらのねじ挿通孔８ａ，８ｂを選択的に用いることで、道路側のキャスター２ａを前後方向に移動することができる。敷地側のキャスター取付部４ｂは、側板２１にキャスター台座３ｂをねじ止めするためのねじの挿通孔７が前後方向の長孔７に形成してあるため、長孔７の範囲で敷地側のキャスター２ｂを前後方向に任意に移動することができる。
【００１８】
キャスター台座３ａ，３ｂは、底壁３２と一対の側壁３３，３３とを有するコ字型断面となっており、図６に示すように、底壁３２にはキャスター２ａ，２ｂ用の取付孔（バカ孔）６，６が前後方向の一方側に偏った位置に設けてあり、側壁３３，３３にはキャスター取付部４ａ，４ｂ用の取付孔（雌ねじ孔）３４ａ，３４ｂが前後方向の他方側に偏った位置に設けてあり、キャスター用の取付孔６，６とキャスター取付部４ａ，４ｂ用の取付孔３４ａ，３４ｂとは、前後方向にずれた位置に設けてある。図１に示すように、キャスター２ａ，２ｂ用の取付孔６，６は、２箇所とも用いられるが、キャスター取付部４ａ，４ｂ用の取付孔３４ａ，３４ｂは、取付状態において外側に位置する方の取付孔３４ａ又は３４ｂが用いられる。
キャスター台座３ａ，３ｂは、門扉本体１のキャスター取付部４ａ，４ｂに前後反転して取付け・取外し自在であるとともに、前後反転することでキャスター２ａ，２ｂを前後方向の一方側に偏った位置と前後方向の他方側に偏った位置とに取付け・取外し自在なものである。図４（ａ）と図５（ａ）に示すように、キャスター２ａ，２ｂ用の取付孔６，６が内側に偏った向きでキャスター台座３ａ，３ｂをキャスター２ａ，２ｂに取付けた場合には、キャスター２ａ，２ｂは、図１中に実線で示すように、内側に位置する。図４（ｂ）と図５（ｂ）に示すように、キャスター台座３ａ，３ｂを前後反転し、キャスター２ａ，２ｂ用の取付孔６，６が外側に偏った向きでキャスター台座３ａ，３ｂをキャスター２ａ，２ｂに取り付けると、図１中に点線で示すように、キャスター２ａ，２ｂが外側に移動する。キャスター台座３ａ，３ｂを前後反転することによるキャスター２ａ，２ｂの移動量は、４８．５ｍｍであり、敷地側のキャスター取付部４ｂの長孔７の前後方向長さと略同じにしてある。
【００１９】
本門扉は、既存の門扉を新しいものに取り換えるにあたり、既に施工されているレール１６，１６をそのまま利用して設置できるものであり、そのために前後のキャスター２ａ，２ｂの車輪２７，２７の間隔を４１０ｍｍから６００ｍｍまでの広い範囲で任意に調整することができる。以下、前後のキャスター２ａ，２ｂの車輪２７，２７の間隔をレール１６，１６の間隔に合わせて段階的に広げてゆく手順を説明する。
図７−１（ａ）は、レール間隔が最も狭い４１０ｍｍの場合を示しており、このときにはキャスター台座３ａ，３ｂが道路側、敷地側とも、キャスター２ａ，２ｂ用の取付孔６，６が内側に偏った向きでキャスター２ａ，２ｂに取付けてあり、道路側のキャスター２ａはキャスター取付部４ａの内側の取付孔８ａを用いて取付けてあり、敷地側のキャスター２ｂはキャスター取付部４ｂの長孔７の最も内側でねじ止めしてある。
図７−１（ｂ）は、レール間隔が４１０〜４５５ｍｍのレール１６，１６上に門扉本体１を設置する場合を示している。このときの手順を説明すると、まず敷地側のキャスター２ｂをキャスター取付部４ｂに固定している上下のねじ２２ｂ，２３ｂを緩め、敷地側のキャスター２ｂを自由に動く状態とする。次に、道路側のキャスター２ａを道路側のレール１６にのせる。次に、敷地側のキャスター２ｂの位置を敷地側のレール１６の位置に合わせて調整する。その後、敷地側のキャスター取付部４ｂの上下のねじ２２ｂ，２３ｂを締めて、敷地側のキャスター２ｂを固定する。このように、道路側のキャスター２ａの位置を基準にして敷地側のキャスター２ｂの位置調整を行うことで、複数の格子材１１ａ，１１ｂの道路側と敷地側の各キャスター２ａ，２ｂをそれぞれ前後位置を揃えて位置調整するのが容易である。
図７−１（ｃ）は、レール間隔が４５６〜５０４ｍｍのレール１６，１６上に門扉本体１を設置する場合を示している。このときには、道路側のキャスター２ａをキャスター取付部４ａに固定している上側のねじ２２ａを取外し、下側のねじ２３ａを緩める。その後、道路側のキャスター２ａを外側に動かし、取外したねじ２２ａにてキャスター取付部４ａの一番外側の取付孔８ｂにキャスター台座３ａを固定し、下側のねじ２３ａを締め付ける。これにより、道路側のキャスター２ａが図７−１（ｂ）のときよりも外側に４６．５ｍｍ移動する。後は、レール間隔が４１０〜４５５ｍｍのときと同様に、敷地側のキャスター２ｂの調整を行う。このようにすることで、複数の格子材１１ａ，１１ｂで道路側のキャスター２ａの前後位置は同じになり、道路側のキャスター２ａの位置を基準にして敷地側のキャスター２ｂの位置調整を行うことで、複数の格子材１１ａ，１１ｂの敷地側のキャスター２ｂの前後位置も同じに調整できるから、各キャスター２ａ，２ｂの位置調整を短時間で正確に行える。
図７−２（ｄ）は、レール間隔が５０５〜５５２ｍｍのレール１６，１６上に門扉本体１を設置する場合を示している。このときには、道路側のキャスター２ａをキャスター取付部４ａに固定している上下のねじ２２ａ，２３ａを取外し、キャスター台座３ａをキャスター取付部４ａから取外す。その後、キャスター２ａをキャスター台座３ａに取付けているねじ３１，３１を外し、キャスター台座３ａからキャスター２ａを取外す。その後、図４（ｂ）に示すように、キャスター台座３ａを前後反転し、門扉本体１に対する向きが取外す前と同じ向きになるようにキャスター２ａをねじ３１，３１でキャスター台座３ａに取付ける。その後、キャスター台座３ａをキャスター取付部４ａの外側の取付孔８ｂにねじ２２ａで固定し、下側のねじ２３ａも取付ける。このようにキャスター台座３ａを前後反転することで、図７−１（ｃ）のときよりも道路側のキャスター２ａが外側に４８．５ｍｍ移動する。後は、レール間隔が４１０〜４５５ｍｍのときと同様に、敷地側のキャスター２ｂの調整を行う。
図７−２（ｅ）は、レール間隔が５５３〜６００ｍｍのレール１６，１６上に門扉本体１を設置する場合を示している。このときには、敷地側のキャスター２ｂをキャスター取付部４ｂに固定している上下のねじ２２ｂ，２３ｂを取外し、キャスター台座３ｂをキャスター取付部４ｂから取外す。その後、キャスター２ｂをキャスター台座３ｂに取付けているねじ３１，３１を外し、キャスター台座３ｂからキャスター２ｂを取外す。その後、図５（ｂ）に示すように、キャスター台座３ｂを前後反転し、門扉本体１に対する向きが取外す前と同じ向きになるようにキャスター２ｂをねじ３１，３１でキャスター台座３ｂに取付ける。その後、キャスター台座３ｂをキャスター取付部４ｂの長孔７にねじで取付ける。このようにキャスター台座３ｂを前後反転することで、図７−２（ｄ）のときよりも敷地側のキャスター２ｂが外側に４８．５ｍｍ移動する。後は、レール間隔が４１〜４５５ｍｍのときと同様に、敷地側のキャスター２ｂの調整を行う。
【００２０】
以上に述べたように本門扉は、前後のキャスター２ａ，２ｂにキャスター台座３ａ，３ｂを有し、キャスター台座３ａ，３ｂは、門扉本体１に設けたキャスター取付部４ａ，４ｂに前後反転して取付け・取外し自在であるとともに、前後反転することでキャスター２ａ，２ｂを前後方向の一方側に偏った位置と前後方向の他方側に偏った位置とに取付け・取外し自在なものであり、キャスター２ａ，２ｂは、キャスター台座３ａ，３ｂの前後方向の一方側に偏った位置に取付けた状態と、反転したキャスター台座３ａ，３ｂの前後方向の他方側に偏った位置に取付けた状態とで、位置が前後方向に異なるため、前後のキャスター２ａ，２ｂの車輪２７，２７の間隔を変更することができる。
本発明の門扉の製造方法は、キャスター台座３ａ，３ｂをキャスター取付部４ａ，４ｂから取外す工程とキャスター２ａ，２ｂをキャスター台座３ａ，３ｂから取外す工程の後に、キャスター台座３ａ，３ｂを前後反転させる工程とキャスター２ａ，２ｂの門扉本体１に対する向きがキャスター台座３ａ，３ｂから取外す前と同じ向きになるようにキャスター２ａ，２ｂをキャスター台座３ａ，３ｂに取付ける工程とキャスター台座３ａ，３ｂをキャスター取付部４ａ，４ｂに取付ける工程とを有することで、前後のキャスター２ａ，２ｂの車輪２７，２７の間隔を変更することができる。
さらに本門扉は、敷地側のキャスター取付部４ｂは、キャスター台座３ｂをねじ止めするねじ２２ｂの挿通孔７が前後方向の長孔７になっているため、キャスター台座３ｂを前後反転することに加え、キャスター取付部４ｂへのキャスター台座３ｂの取付位置を前後方向に任意に調整できるため、前後のキャスター２ａ，２ｂの車輪２７，２７の間隔を調整できる範囲が広くなり、しかも既存のレール１６，１６の間隔に合わせて車輪２７，２７の間隔を微調整できる。
さらに本門扉は、道路側のキャスター取付部４ａは、キャスター台座３ａをねじ止めするねじ２２ａの挿通孔８ａ，８ｂが前後方向に間隔をおいて複数設けてあるため、キャスター台座３ａを前後反転することに加え、キャスター取付部４ａの複数のねじ挿通孔８ａ，８ｂを選択的に用いることによってもキャスター２ａの位置が前後方向に移動するため、前後のキャスター２ａ，２ｂの車輪２７，２７の間隔をより大きく変更することができる。
道路側のキャスター２ａと敷地側のキャスター２ｂが両方とも長孔で取付位置を前後方向に任意に調整可能とした場合には、キャスター２ａ，２ｂが取付く複数の格子材１１ａ，１１ｂの間で各キャスター２ａ，２ｂの前後方向位置を同じに調整するのが困難で、キャスター２ａ，２ｂの位置がずれると門扉本体１が波打ってしまい、見た目も悪く、動作にも支障をきたす。本門扉は、道路側のキャスター取付部４ａに取付孔（丸穴）８ａ，８ｂを前後方向に間隔をおいて複数設けることで、レール間隔に応じて道路側のキャスター２ａを前後方向の所定の複数の位置に取付位置を変更自在であり、敷地側のキャスター取付部４ｂに取付孔７を前後方向の長孔７で形成することで、敷地側のキャスター２ｂの取付位置を前後方向に任意に調整できるようにしたので、道路側のキャスター２ａの位置を基準にして敷地側のキャスター２ｂの位置を調整することで、レール間隔に合わせて複数の格子材１１ａ，１１ｂのキャスター２ａ，２ｂの前後位置を揃えて位置調整するのが容易である。
また本門扉は、道路側のキャスター取付部４ａの取付孔（丸穴）８ａ，８ｂの間隔を敷地側のキャスター取付部４ｂの長孔７の前後方向長さよりも若干短くし、キャスター台座３ａ，３ｂを前後反転することによるキャスター２ａ，２ｂの移動量を前記長孔７の前後方向長さと略同じに設定したことで、対応できるレール間隔の範囲を最大限大きくできると共に、その範囲内全体にわたって途切れることなくキャスター２ａ，２ｂの間隔を調整することができる。
【００２１】
本発明は以上に述べた実施形態に限定されない。キャスター取付部やキャスター、キャスター台座の形態、材質等は、適宜変更することができる。キャスター台座のキャスター取付部への取付け、及びキャスターのキャスター台座への取付けは、ねじ止めに限らず、例えばピン止めや嵌合取付け等、種々の手段を用いることができる。実施形態は、キャスター台座を前後反転することによるキャスターの移動と、複数の取付孔（丸穴）によるキャスターの移動と、長孔によるキャスターの移動を組み合わせたものとなっているが、必ずしもそれら全ての機能を有するものでなくともよい。例えば、キャスター台座を前後反転することによるキャスターの移動のみが行えるものや、それに長孔によるキャスターの移動を組み合わせたものであってもよい。キャスター台座を前後のキャスターのうちの一方のみに設けたものであってもよい。また、道路側のキャスターの位置を長孔で任意に調整可能とし、敷地側のキャスターの位置を複数の丸孔により移動可能としてもよい。門扉の製造方法に係る発明において、キャスター台座をキャスター取付部から取外す工程とキャスターをキャスター台座から取外す工程とは並列の関係にあり、そのどちらを先に行ってもよい。実施形態では、キャスター台座をキャスター台座から取外してから、キャスター台座からキャスターを取外しているが、キャスター台座からキャスターを取外してから、キャスター台座をキャスター取付部から取外すこともできる。また、キャスター台座を前後反転させる工程とキャスターをキャスター台座に取付ける工程とキャスター台座をキャスター取付部に取付ける工程とは並列の関係にあり、それらの工程をどの順番で行ってもよい。例えば、キャスター台座にキャスターを取付けた後に前後反転し、それをキャスター取付部に取付けることもできる。門扉本体の構成は任意であり、伸縮門扉に限らず、引戸式の門扉であってもよい。
【符号の説明】
【００２２】
１  門扉本体
２ａ，２ｂ  キャスター
３ａ，３ｂ  キャスター台座
４ａ，４ｂ  キャスター取付部
６  キャスター用の取付孔
７  ねじ挿通孔（長孔）
８ａ，８ｂ  ねじ挿通孔（丸孔）
【図１】
0006612598.tif 000002
【図２】
0006612598.tif 000003
【図３】
0006612598.tif 000004
【図４】
0006612598.tif 000005
【図５】
0006612598.tif 000006
【図６】
0006612598.tif 000007
【図７−１】
0006612598.tif 000008
【図７−２】
0006612598.tif 000009